(57)【特許請求の範囲】
【請求項１】
用紙が載置される載置部と、
前記載置部に載置された用紙を分離搬送する分離搬送機構と、
前記載置部と前記分離搬送機構側とを連通させ、かつ、用紙の搬送方向及び用紙の厚み方向と直交する方向を長手方向とする略長方形状の用紙挿入口を前記載置部との間に形成すると共に、前記分離搬送機構を覆うカバー部材とを備え、
前記用紙挿入口に挿入される用紙の挿入方向から見て、前記分離搬送機構は、前記用紙挿入口の長手方向略中央部に対応する位置に配置されており、
前記用紙挿入口のうち前記分離搬送機構に対応する部位から前記用紙挿入口の長手方向両端側にずれた部位を端部側開口部と称し、前記用紙挿入口のうち前記分離搬送機構に対応する部位を中央開口部と称するとき、
前記端部側開口部のうち用紙の厚み方向と平行な部位の寸法を、前記中央開口部のうち用紙の厚み方向と平行な部位の寸法より大きくすることにより、前記端部側開口部の大きさを、前記中央開口部の大きさに比べて大きくし、
さらに、前記カバー部材は前記用紙挿入口の前記中央開口部から前記端部側開口部にかけて連続していることを特徴とする自動用紙送り装置。
【請求項２】
前記端部側開口部のうち用紙の厚み方向と平行な部位は、前記中央開口部のうち用紙の厚み方向と平行な部位に比べて上方側に拡大していることを特徴とする請求項１に記載の自動用紙送り装置。
【請求項３】
前記中央開口部から前記端部側開口部にかけて滑らかに開口部の大きさが変化していることを特徴とする請求項１又は２に記載の自動紙送り装置。
【請求項４】
前記載置部には、前記用紙挿入口の長手方向に変位可能であって、かつ、前記用紙載置部に載置される用紙の端辺のうち前記搬送方向と平行な部位に接触して用紙の搬送を案内する一対の用紙ガイドが設けられており、
さらに、前記一対の用紙ガイド間の距離が最小となった場合においても、前記一対の用紙ガイド間に対応する部位に前記端部側開口部の少なくとも一部が存在することを特徴とする請求項１ないし３のいずれか１つに記載の自動用紙送り装置。
【請求項５】
前記用紙挿入口は、前記用紙挿入口の長手方向略中央部に対して対称形状となっていることを特徴とする請求項１ないし４のいずれか１つに記載の自動用紙送り装置。
【請求項６】
受光した光に基づいて電気信号を発する画像撮像素子を有し、原稿に記載された画像を読み取る画像読み取り装置であって、
画像読み取り用の読み取り窓と、
前記載置部に載置された原稿を前記画像読み取り窓に搬送する請求項１ないし５のいずれか１つに記載された自動用紙送り装置とを備えることを特徴とする画像読み取り装置。
【請求項７】
用紙に画像を形成する画像形成部と、
前記載置部に載置された用紙を前記画像形成部に搬送する請求項１ないし５のいずれか１つに記載された自動用紙送り装置とを備えることを特徴とする画像形成装置。
【発明の詳細な説明】
【技術分野】
【０００１】
本発明は、積層された複数枚の用紙を自動的に分離搬送する自動用紙送り装置、並びにこの自動用紙送り装置を備えた画像読み取り装置及び画像形成装置に関するものである。
【背景技術】
【０００２】
自動用紙送り装置とは、例えば特許文献１に記載されているように、載置部に積層載置された複数枚の原稿や用紙を分離搬送機構にて分離搬送するものである。
【特許文献１】特開平８−２９０８３５号公報
【発明の開示】
【発明が解決しようとする課題】
【０００３】
ところで、原稿や用紙は厚みが薄く自重により下方側に撓み易いので、通常、図１０及び図１１に示すように、下向きに凸となるように用紙を弓なりに撓ませて用紙の曲げ剛性を大きくして用紙が撓み難い状態として、載置部１９ａに用紙を載置する場合が多い。
【０００４】
しかし、用紙を弓なりに撓ませた状態で載置部に用紙を載置しようとすると、図１１に示すように、用紙挿入口２５ａの長手方向両端側に用紙の幅方向両端側が干渉してしまう場合があり、このような場合には、用紙を所定の場所に的確に載置することができないと言う問題が発生する。
【０００５】
この問題に対しては、用紙挿入口の大きさを十分に大きくすれば解決することができるものの、用紙挿入口を構成するカバー部材２３ａは、分離搬送機構を覆って分離搬送機構を保護しているので、用紙挿入口を大きくすると、分離搬送機構を十分に覆うことができなくなるおそれがある。
【０００６】
本発明は、上記点に鑑み、分離搬送機構を十分に覆いつつ、用紙を所定の場所に的確に載置することができるようにすることを目的とする。
【課題を解決するための手段】
【０００７】
本発明は、上記目的を達成するために、請求項１に記載の発明では、用紙が載置される載置部と、載置部に載置された用紙を分離搬送する分離搬送機構と、載置部と分離搬送機構側とを連通させ、かつ、用紙の搬送方向及び用紙の厚み方向と直交する方向を長手方向とする略長方形状の用紙挿入口を載置部との間に形成すると共に、分離搬送機構を覆うカバー部材とを備え、用紙挿入口に挿入される用紙の挿入方向から見て、分離搬送機構は、用紙挿入口の長手方向略中央部に対応する位置に配置されており、用紙挿入口のうち分離搬送機構に対応する部位から用紙挿入口の長手方向両端側にずれた部位を端部側開口部と称し、用紙挿入口のうち分離搬送機構に対応する部位を中央開口部と称するとき、前記端部側開口部のうち用紙の厚み方向と平行な部位の寸法を、中央開口部のうち用紙の厚み方向と平行な部位の寸法より大きくすることにより、前記端部側開口部の大きさを、中央開口部の大きさに比べて大きくし、さらに、カバー部材は用紙挿入口の中央開口部から端部側開口部にかけて連続していることを特徴とする。
【０００８】
ところで、用紙を弓なりに撓ませた状態では、用紙は、図１１に示すように、その幅方向両端側が幅方向中央部に対してずれた状態となるが、本発明では、端部側開口部が中央開口部に比べて大きいので、用紙を弓なりに撓ませた状態であっても、用紙と用紙挿入口とが干渉してしまうことを未然に防止できる。
【０００９】
また、分離搬送機構が配置された部位に対応する中央開口部は、端部側開口部に比べて小さくなっているので、分離搬送機構を十分に覆うことができる。
したがって、本発明では、分離搬送機構を十分に覆いつつ、用紙を所定の場所に的確に載置することができる。
【００１０】
また、端部側開口部を中央開口部に比べて大きくする際には、端部側開口部のうち用紙の厚み方向と平行な部位の寸法を、中央開口部のうち用紙の厚み方向と平行な部位の寸法より大きくすることが望ましい。
【００１１】
また、用紙を弓なりに撓ませた状態では、通常、用紙は下向きに凸となるので、請求項２に記載の発明のごとく、端部側開口部のうち用紙の厚み方向と平行な部位を、中央開口部のうち用紙の厚み方向と平行な部位に比べて上方側に拡大することが望ましい。
【００１３】
また、請求項３に記載の発明のごとく、中央開口部から端部側開口部にかけて滑らかに開口部の大きさが変化するようにしてもよい。
請求項４に記載の発明では、載置部には、用紙挿入口の長手方向に変位可能であって、かつ、用紙載置部に載置される用紙の端辺のうち搬送方向と平行な部位に接触して用紙の搬送を案内する一対の用紙ガイドが設けられており、さらに、一対の用紙ガイド間の距離が最小となった場合においても、一対の用紙ガイド間に対応する部位に端部側開口部の少なくとも一部が存在することを特徴とする。
【００１４】
これにより、本発明によれば、用紙ガイド間の距離が最小となった場合においても、用紙を所定の場所に的確に載置することができる。
また、用紙を弓なりに撓ませた状態では、通常、用紙は対称に撓んでいるので、用紙挿入口は、請求項５に記載の発明のごとく、用紙挿入口の長手方向略中央部に対して対称形状とすることが望ましい。
【００１５】
請求項６に記載の発明では、受光した光に基づいて電気信号を発する画像撮像素子を有し、原稿に記載された画像を読み取る画像読み取り装置であって、画像読み取り用の読み取り窓と、載置部に載置された原稿を画像読み取り窓に搬送する請求項１ないし５のいずれか１つに記載された自動用紙送り装置とを備えることを特徴とする。
【００１６】
これにより、画像読み取り装置において、原稿を所定の場所に的確に載置することができる。
請求項７に記載の発明では、用紙に画像を形成する画像形成部と、載置部に載置された用紙を画像形成部に搬送する請求項１ないし５のいずれか１つに記載された自動用紙送り装置とを備えることを特徴とする。
【００１７】
これにより、画像形成装置において、用紙を所定の場所に的確に載置することができる。
【発明を実施するための最良の形態】
【００１８】
本実施形態は、原稿を自動的に搬送しながら原稿に記載された画像を読み取る自動搬送読取機能、及び静止載置された原稿に記載された画像を読み取る静止原稿読取機能を兼ね備えた画像読取装置に本発明に係る自動用紙送り機構を適用したもので、以下に本発明の実施形態を図面と共に説明する。
【００１９】
（第１実施形態）
１．画像読取装置１の概略構成
図１は本実施形態に係る画像読取装置１の外観斜視図であり、図２は原稿カバー３を開いた状態を示す斜視図であり、図３は原稿挿入口２５を原稿挿入口２５に挿入される用紙の挿入方向から見た図であり、図４は画像読取装置１の断面の一部を示す図であり、図５は画像読取装置１の上面側斜視図である。
【００２０】
図２に示すように、原稿カバー３が揺動可能に組み付けられた本体部５には、静止原稿読取機能用の画像読取窓（以下、静止読取窓という。）７、及び自動搬送読取機能用の画像読取窓（以下、自動読取窓という。）９が設けられており、両読取窓７、９は、ガラスやアクリル等の透明なプラテン７ａ、９ａにて閉塞されている。
【００２１】
図４中、画像撮像素子１１は、原稿に照射されて反射した光を受光し、この受光した光に基づいて電気信号を発するもので、画像読取装置１は、画像撮像素子１１を介して原稿に記載された文字等の画像を電気信号に変換して画像を読み取っていく。
【００２２】
また、画像撮像素子１１は、本体部５の長手方向（図４の左右方向）に移動可能に本体部５内に組み付けられている。そして、画像撮像素子１１は、自動搬送読取機能作動時には、自動読取窓９の直下に停止配置された状態で画像を読み取り、一方、静止原稿読取機能作動時には、静止読取窓７の直下で移動しながら画像を読み込んでいく。
【００２３】
因みに、本実施形態では、画像撮像素子１１として、ＣＩＳ（Contact Image Sensor）を用いており、このＣＩＳ（画像撮像素子１１）の長手方向は、両読取窓７、９の直下において、その移動方向と直交する方向（本体部５の幅方向）に延びている。
【００２４】
また、原稿カバー３のうち静止読取窓７に対向する部位には、静止読取窓７に載置された原稿を静止読取窓７側に押さえる静止原稿押さえ１３が配設されており、この静止原稿押さえ１３は、原稿カバー３と一体的に本体部５（静止読取窓７）に対して揺動する。
【００２５】
原稿カバー３のうち自動読取窓９に対応する部位及びその近傍には、読み取り用の原稿を自動読取窓９に搬送する分離搬送機構１５等を有して構成されたオートドキュメントフィーダ装置（以下、ＡＤＦ装置と記す。）が設けられている。以下、ＡＤＦ装置の詳細を説明する。
【００２６】
２．ＡＤＦ装置
図１又は図２中、ベース部材１７は、自動読取窓９に搬送される読み取り用の原稿が載置される原稿載置部（原稿トレイ）１９を構成するとともに、分離搬送機構１５を構成する各種ローラ１５ａ〜１５ｄ（図４参照）が組み付けられる部材であり、このベース部材１７は、ネジ等の締結手段にて原稿カバー３に固定されている。
【００２７】
なお、原稿載置部１９は、図４に示すように、吸入ローラ１５ａ側が低くなるように傾斜しており、原稿載置部１９に載置された原稿は、その自重により吸入ローラ１５ａ側に移動する。
【００２８】
また、原稿載置部１９には、図１に示すように、原稿載置部１９に載置される原稿の幅方向両端側、つまり原稿の端辺のうち搬送方向と平行な部位に接触して原稿の搬送を案内する一対の原稿ガイド２１が設けられており、この一対の原稿ガイド２１は、互いに機械的に連動して原稿の幅方向に変位するように原稿載置部１９（ベース部材１７）に組み付けられている。
【００２９】
ここで、「原稿の幅方向」とは、原稿載置部１９に載置された原稿の搬送方向（図１参照）、及び原稿載置部１９に載置された原稿の厚み方向の両方向に直交する方向を言う。
また、分離搬送機構１５は、図４に示すように、原稿載置部１９に載置された原稿を吸引する吸引ローラ１５ａ、吸引された原稿を一枚ずつ分離して送りローラ１５ｃに送る分離ローラ１５ｂ、及び画像読み取りが終了した原稿を排紙トレイ２７に排出させる排紙ローラ１５ｄ等から構成されている。
【００３０】
なお、ピンチローラ１５ｅ、１５ｆは、搬送されてきた原稿を送りローラ１５ｃに押し当てるコロであり、案内面１５ｇは、原稿載置部１９から搬送されてきた原稿の搬送方向を略１８０°転向させながら自動読取窓９側に導く案内手段である。
【００３１】
また、搬送されてきた原稿を自動読取窓９側に押さえる自動読取用原稿押さえ２９のうち送りローラ１５ｃ側は、送りローラ１５ｃとピンチローラ１５ｆとの接点における接線方向と略平行となるように自動読取窓９（プラテン９ａ）に対して傾斜している。
【００３２】
このため、原稿載置部１９から搬送されてきた原稿は、自動読取用原稿押さえ２９と自動読取窓９との隙間を通過して画像が読み取られた後、排出搬送経路３１を通過して排紙トレイ２７に排出される。
【００３３】
また、分離搬送機構１５は、カバー部材２３によりその上面側が覆われているとともに、図３示すように、後述する原稿挿入口２５に挿入される原稿の挿入方向から見て、原稿挿入口２５の長手方向略中央部に対応する位置に配置されている。
【００３４】
なお、カバー部材２３は、ベース部材１７に揺動可能に組み付けられており、原稿が分離搬送機構１５にて詰まった場合には、カバー部材２３を開くことにより詰まった原稿を取り除くことができる。
【００３５】
また、カバー部材２３のうち原稿載置部１９側には、図３に示すように、原稿載置部１９と分離搬送機構１５側とを連通させる原稿挿入口２５が設けられており、この原稿挿入口２５は、原稿の搬送方向及び原稿の厚み方向と直交する方向を長手方向とする略長方形状に形成されている。
【００３６】
そして、原稿挿入口２５は、原稿挿入口２５のうち分離搬送機構１５に対応する部位から原稿挿入口２５の長手方向両端側にずれた端部側開口部Ａの大きさが、原稿挿入口２５のうち分離搬送機構１５に対応する中央開口部Ｂの大きさに比べて大きくなるように、原稿挿入口２５の長手方向略中央部に対して対称形状に設定されている。
【００３７】
すなわち、本実施形態では、図５に示すように、端部側開口部Ａのうち原稿の厚み方向と平行な部位を、中央開口部Ｂのうち原稿の厚み方向と平行な部位に比べて上方側に拡大することにより、端部側開口部Ａのうち原稿の厚み方向と平行な部位の寸法を、中央開口部Ｂのうち原稿の厚み方向と平行な部位の寸法より大きくしている。
【００３８】
また、中央開口部Ｂから端部側開口部Ａにかけて滑らかに開口部の大きさが変化するように、中央開口部Ｂと端部側開口部Ａとの繋ぎ目が傾斜拡大しているとともに、原稿ガイド２１間の距離が最小となった場合においても、原稿ガイド２１間に対応する部位に端部側開口部Ａの少なくとも一部が存在するように端部側開口部Ａが設定されている。
【００３９】
３．画像読取装置１の電気的構成
図６は本実施形態に係る画像読取装置１の電気的構成の概略を示すブロック図である。
ＣＰＵ５１は、ＲＯＭ５３に記憶されたプログラムに従って所定の演算処理を行う処理装置であり、ＲＯＭ５３はフラッシュメモリやＥＥＰＲＯＭ等の電力の供給が停止しても記憶した内容を保持することができる記憶手段である。
【００４０】
そして、ＣＰＵ５１の入力側には、画像読み取りの開始を指示するスタートスイッチ（スタートボタン）５５、及びＡＤＦ装置（原稿載置部１９）に原稿が載置されているか否かを検出するＡＤＦ原稿有無センサ５７等が接続され、一方、出力側には、画像撮像素子１１を移動させるための画像撮像素子駆動モータ５９、及び分離搬送機構１５を構成する各種ローラ１５ａ〜１５ｄを回転させるローラ駆動モータ６１等が接続されている。因みに、画像撮像素子１１の出力信号は、ＣＰＵ５１を経由してＲＡＭ６３等の記憶手段に一旦記憶される。
【００４１】
４．画像読取装置の作動
図７は、スタートボタン５５が押下された時から画像撮像素子１１から信号が出力されるまでの制御フロー概要の示すフローチャートであり、この制御フローは、ＣＰＵ５１にて実行される。
【００４２】
スタートボタン５５が押下されると、図７に示される制御フローが起動され、先ず、ＡＤＦ原稿有無センサ５７の検出信号に基づいて静止原稿読取機能が選択されたか、自動搬送読取機能が選択されたかが判定される（Ｓ１）。
【００４３】
ここで、ＣＰＵ５１は、ＡＤＦ原稿有無センサ５７の検出信号により原稿載置部１９に原稿が有ると判定された場合には自動搬送読取機能が選択されたものと判定し、逆に、原稿載置部１９に原稿が無いと判定された場合には静止原稿読取機能が選択されたものと判定する。
【００４４】
そして、静止原稿読取機能が選択されたと判定された場合には、画像撮像素子駆動モータ５９が駆動されて静止読取窓７上に写った画像が読み取られていく（Ｓ３）。一方、自動搬送読取機能が選択されたと判定された場合には、ローラ駆動モータ６１が駆動されて原稿載置部１９に載置された原稿に記載された画像が連続的に読み取られていく（Ｓ５）。
【００４５】
５．本実施形態に係る画像読取装置１の特徴
原稿を弓なりに撓ませた状態では、原稿は、図１１に示すように、その幅方向両端側が幅方向中央部に対して厚み方向にずれた状態となるが、本実施形態では、端部側開口部Ａが中央開口部Ｂに比べて大きいので、原稿を弓なりに撓ませた状態であっても、図５に示すように、原稿と原稿挿入口２５とが干渉してしまうことを未然に防止できる。
【００４６】
また、分離搬送機構１５が配置された部位に対応する中央開口部Ｂは、端部側開口部Ａに比べて小さくなっているので、分離搬送機構１５を十分に覆うことができる。
したがって、本実施形態では、分離搬送機構１５を十分に覆いつつ、原稿を所定の場所に的確に載置することができる。
【００４７】
また、原稿を弓なりに撓ませた状態では、原稿は、その幅方向両端側が幅方向中央部に対して厚み方向にずれた状態となるようになるので、本実施形態のごとく、端部側開口部Ａのうち原稿の厚み方向と平行な部位の寸法（高さ寸法）を、中央開口部Ｂのうち原稿の厚み方向と平行な部位の寸法（高さ寸法）より大きくすれば、確実に原稿を所定の場所に載置することができる。
【００４８】
また、用紙を弓なりに撓ませた状態では、通常、原稿は下向きに凸となるので、本実施形態のごとく、端部側開口部Ａの高さ寸法を中央開口部Ｂの高さ寸法に比べて上方側に拡大すれば、容易に原稿を所定の場所に載置することがきる。
【００４９】
また、用紙を弓なりに撓ませた状態では、原稿は幅方向中央部から端部にかけて連続的に湾曲するので、本実実施形態のごとく、この撓み形状に沿うように、中央開口部Ｂから端部側開口部Ａにかけて滑らかに開口部の大きさを変化させれば、原稿をスムーズに所定の場所に載置することができる。
【００５０】
また、原稿ガイド２１間の距離が最小となった場合においても、原稿ガイド２１間に対応する部位に端部側開口部Ａの少なくとも一部が存在するように端部側開口部Ａが設定されているので、原稿ガイド２１間の距離が最小となった場合においても、原稿を所定の場所に的確に載置することができる。
【００５１】
また、原稿を弓なりに撓ませた状態では、通常、原稿は対称に撓んでいるので、本実施形態のごとく、原稿挿入口２５を原稿挿入口２５の長手方向略中央部に対して対称形状とれば、原稿を所定の場所により的確に載置することができる。
【００５２】
（第２実施形態）
第１実施形態では、端部側開口部Ａを高さ方向（原稿の厚み方向と平行な方向）に拡大することにより、端部側開口部Ａの大きさを中央開口部Ｂの大きさよりも大きくしたが、本実施形態は、図８及び図９に示すように、カバー部材２３のうち端部側開口部Ａのうち原稿の搬送方向と平行な部位の寸法を、央開口部Ｂのうち搬送方向と平行な部位の寸法より大きくすることにより、端部側開口部Ａの大きさを中央開口部Ｂの大きさよりも大きくしたものである。
【００５３】
これにより、原稿を弓なりに撓ませた状態であっても、図８に示すように、その幅方向両端側が原稿挿入口２５（カバー部材２３）に干渉してしまうことを防止できるので、分離搬送機構１５を十分に覆いつつ、原稿を所定の場所に的確に載置することができる。
【００５４】
（その他の実施形態）
上述の実施形態では、自動搬送読取機能及び静止原稿読取機能を有する画像読取装置に本発明を適用したが、本発明はこれに限定されるものではなく、自動搬送読取機能のみからなる画像読取装置、インクジェットプリンタやレーザプリンタ等の画像形成装置と一体化された画像読取装置、又はファクシミリ装置やコピー装置等にも適用することができる。
【００５５】
また、上述の実施形態では、画像読取装置の読取部に原稿を送る自動用紙送り装置に本発明を適用したが、本発明はこれに限定されるものではなく、画像形成装置の画像形成部に用紙を送る自動用紙送り装置にも適用することができる。
【００５６】
また、上述の実施形態では、画像撮像素子１１としてＣＩＳを用いたが、本発明はこれに限定されるものではなく、例えばＣＣＤ（Charge-Coupled Device）を用いてもよい。
また、本発明は、端部側開口部Ａを中央開口部Ｂより大きくすることを特徴とするので、原稿挿入口２５の形状は上述の実施形態に示された形状に限定されるものではない。
【００５７】
また、上述の実施形態では、端部側開口部Ａと中央開口部Ｂとが滑らかに連続するように構成したが、本発明はこれに限定されるものではない。
【図面の簡単な説明】
【００５８】
【図１】本発明の第１実施形態に係る画像読取装置１の外観斜視図である。
【図２】本発明の実施形態に係る画像形成装置１において、原稿カバー３を開いた状態を示す斜視図である。
【図３】本発明の第１実施形態に係る原稿挿入口２５を原稿挿入口２５に挿入される用紙の挿入方向から見た図である。
【図４】本発明の実施形態に係る画像読取装置の断面の一部を示す図である。
【図５】本発明の実施形態に係る画像読取装置１の上面側斜視図である。
【図６】本実施形態に係る画像読取装置１の電気的構成の概略を示すブロック図である。
【図７】スタートボタン５５が押下された時から画像撮像素子１１から信号が出力されるまでの制御フロー概要の示すフローチャートである。
【図８】本発明の第２実施形態に係る画像読取装置１の外観斜視図である。
【図９】本発明の第１実施形態に係る画像読取装置の上面図である。
【図１０】従来の技術に係る画像読取装置の斜視図である。
【図１１】従来の技術に係る画像読取装置の斜視図である。
【符号の説明】
【００５９】
１…画像読取装置、３…原稿カバー、５…本体部、７…静止読取窓、
７ａ…プラテン、９…自動読取窓、９ａ…プラテン、
１１…画像撮像素子、１３…静止原稿押さえ、
１５…分離搬送機構、１５ａ…吸引ローラ、１５ｂ…分離ローラ、
１５ｃ…送りローラ、１５ｅ…ピンチローラ、１５ｆ…ピンチローラ、
１５ｇ…案内面、１７…ベース部材、１９…原稿載置部、２１…原稿ガイド、
２３…カバー部材、２５…原稿挿入口、２７…排紙トレイ、
２９…自動読取用原稿押さえ、３１…排出搬送経路、５５…スタートボタン、
５７…ＡＤＦ原稿有無センサ、５９…画像撮像素子駆動モータ、
６１…ローラ駆動モータ。
【図１】
0004650179.tif 000002
【図２】
0004650179.tif 000003
【図３】
0004650179.tif 000004
【図４】
0004650179.tif 000005
【図５】
0004650179.tif 000006
【図６】
0004650179.tif 000007
【図７】
0004650179.tif 000008
【図８】
0004650179.tif 000009
【図９】
0004650179.tif 000010
【図１０】
0004650179.tif 000011
【図１１】
0004650179.tif 000012